(57)【要約】【課題】  ラベル等に印刷されて使用されている特徴マークを連続的に印刷表示することによって、自他の識別を可能なものとした封緘テープの提供。【解決手段】  容器本体１と蓋体２とがその一側部でヒンジ部３を介して折重ね自在に一体的に連結されている樹脂シート製包装容器における容器本体１と蓋体２との遊端側の重合接合縁４ａ，４ｂどうしを外側から断面Ｕの字状に包み込んで接着して封緘させる接着テープ５であって、該接着テープ５の表面に又は表面から透視可能に、被包装物の生産者又は販売者等を表示する特徴マークＭが複数連続表示されている樹脂シート製包装容器の封緘テープ。また、該接着テープ５が延伸軸方向をテープ長さ方向に沿って延伸成形された合成樹脂製延伸フィラメントテープにより形成されている封緘テープ。【選択図】        図１
0003103596.tif 000002
【実用新案登録請求の範囲】
【請求項１】
容器本体１と蓋体２とがその一側部でヒンジ部３を介して折重ね自在に一体的に連結されている樹脂シート製包装容器における容器本体１と蓋体２との遊端側の重合接合縁４ａ，４ｂどうしを外側から断面Ｕの字状に包み込んで接着して封緘させる接着テープ５であって、該接着テープ５の表面に又は表面から透視可能に、被包装物の生産者又は販売者等を表示する特徴マークＭが複数連続表示されている樹脂シート製包装容器の封緘テープ。
【請求項２】
容器本体１と蓋体２とがその一側部でヒンジ部３を介して折重ね自在に一体的に連結されている樹脂シート製包装容器における容器本体１と蓋体２との遊端側の重合接合縁４ａ，４ｂどうしを外側から断面Ｕの字状に包み込んで接着して封緘させる接着テープ５であって、該接着テープ５が延伸軸方向をテープ長さ方向に沿って延伸成形された合成樹脂製延伸フィラメントテープにより形成されていて、該接着テープ５の表面に又は表面から透視可能に、被包装物の生産者又は販売者等を表示する特徴マークＭが複数連続表示されている樹脂シート製包装容器の封緘テープ。
【考案の詳細な説明】
【技術分野】
【０００１】
本考案は、容器本体と蓋体とがその一側部でヒンジ部を介して折り重ね自在に一体的に連結形成されている樹脂シート製包装容器の封緘のために使用されるフィラメントテープに関するものである。
【背景技術】
【０００２】
従来から、この種の樹脂シート製包装容器用の封緘テープは、例えば容器内に鶏卵等の内容物を収納した後における、容器本体と蓋体との遊端側の接合縁を封緘する手段の一つとして、片面に接着剤を塗布した接着テープが使用されている。また、このテープの接着を機械装置によって自動的に封緘する手段がとられている。このテープは、通常、容器の接合縁の長手方向の一端側または両端側に突出する部分＝耳部を形成してあるものとし、開封時にこの耳部を手前方向に引きながら引き剥がし方向に引張って接着テープを剥離するものである。
【０００３】
このテープの剥離除去に当たって、テープが通常のテープである場合には、耳部を急激に引っ張ると途中から引き千切れることがあり、一旦引き千切れると爪先で接着テープの残余部分の端を徐々に引き剥がさなければならないこととなり、この引き剥がしが煩わしいものとなるため、乱雑に引き剥がしても引き千切れることなく容易に確実に剥離することがでる封緘テープも既に開発し提案済みである。
【０００４】
他方、従来のこの種の封緘テープは、無着色透明または単一色に着色された無地のものが多用されており、また、注意事項として例えば「テープのはしをつまみ、手前にゆっくり引いてください」というような印刷を施したものも存在する。しかしながら、このような、従来のテープは、何れのものも個性がなく、テープを見ただけでは生産者や販売者を区別することができないのが現状である。
【特許文献１】特公平７−２３１２５号公報
【特許文献２】特許第２７０６９１５号公報
【考案の開示】
【考案が解決しようとする課題】
【０００５】
そこで、本考案は、このような没個性的な封緘テープに個性的な変化を加えたものとするに当たって、活字を読まなければならないような、例えば生産者や販売者の社名を活字表示するのではなく、生産者や販売者の宣伝に供され、ラベル等に印刷されて現に使用されている特徴マークを活用し印刷表示することによって、一見して自他の識別を可能なものとし、同時に微笑ましさを購買者に与えることができるようにした封緘テープを提供するするものである。
【課題を解決するための手段】
【０００６】
上記目的を達成する為に本考案では次のような技術的手段を講じた。即ち、本考案にかかる樹脂シート製包装容器の封緘テープの第１の構成は、容器本体１と蓋体２とがその一側部でヒンジ部３を介して折重ね自在に一体的に連結されている樹脂シート製包装容器における容器本体１と蓋体２との遊端側の重合接合縁４ａ，４ｂどうしを外側から断面Ｕの字状に包み込んで接着して封緘させる接着テープ５であって、該接着テープ５の表面に又は表面から透視可能に、被包装物の生産者又は販売者等を表示する特徴マークＭが複数連続表示されている構成としたものである。
【０００７】
また、第２の構成は、容器本体１と蓋体２とがその一側部でヒンジ部３を介して折重ね自在に一体的に連結されている樹脂シート製包装容器における容器本体１と蓋体２との遊端側の重合接合縁４ａ，４ｂどうしを外側から断面Ｕの字状に包み込んで接着して封緘させる接着テープ５であって、該接着テープ５が延伸軸方向をテープ長さ方向に沿って延伸成形された合成樹脂製延伸フィラメントテープにより形成されていて、該接着テープ５の表面に又は表面から透視可能に、被包装物の生産者又は販売者等を表示する特徴マークＭが複数連続表示されている構成としたものである。
【考案の効果】
【０００８】
本考案は以上の構成としたものであるから、第１考案にいうところの容器本体と蓋体の遊端側接合縁を封緘する接着テープは、生産者や販売者のラベル等に印刷されて自他商品の識別表示に使用されている愛称マークやデザイン化された商標的マークのような特徴のあるマークＭを複数連続表示してあることによって、容器内に封入されたラベルを確認することなく、直ちに自他商品の識別が可能となり他社商品との差別化を図ることができ、同時に微笑ましさを購買者に与えることができるという効果を有するものである。
【０００９】
また、第２考案は、このような効果に加えて、封緘テープそのものの材質を、テープの長さ方向に沿って延伸成形された合成樹脂製延伸フィラメントテープにより形成されているので、開封時において、テープのつまみ部を指先でつまんで手荒く引っ張っても、容易には引き千切れるようなことなく最後まで確実に引き剥がすことができる利点を同時に有するものである。
【考案を実施するための最良の形態】
【００１０】
以下、本考案の構成を実施例図に基づいて説明する。図面中、図１〜３は、図１において前後２列左右方向に５個の、合計１０個の鶏卵を個別に収納して包装する鶏卵包装容器Ａの上方左手前から見た斜視図、図２はその左側面図、図３は中間部分の一部と後半部を中断した平面図であって、この鶏卵包装容器Ａを対象として本考案にいう接着テープ５を使用して封緘した実施例を示したものである。
【００１１】
ここに示した鶏卵包装容器Ａは、合成樹脂シート素材を用いて容器本体１と蓋体２とがその一側部においてヒンジ部３を介して折重ね自在に一体的に連結成形した合成樹脂容器Ａである。鶏卵の包装は、該容器Ａの容器本体１に形成された１０個の各卵収容凹部のそれぞれに鶏卵を個別に収納させた後、蓋体２をヒンジ部３から折り曲げて容器本体１の上に折り重ねて、これら容器本体１の遊端側の接合縁４ａと蓋体２の遊端側の接合縁４ｂとを重合させ、この重合された接合縁４ａ，４ｂどうしを接着テープ５によって外側から断面Ｕの字状に包み込んで接着して封緘させたものである。
【００１２】
この実施例に示した接着テープ５は、図４にその拡大平面図を示したように、接着テープ５の表面に印刷するか、又は表面から透視可能に背面印刷するかして、被包装物、ここでは鶏卵の生産者又は販売者若しくは取扱者等の鶏卵販売責任者が、自社のラベルに印刷して商品のイメージアップのために使用している社章のような、また、アイドルマークのような各社独自の特徴マークＭを、接着テープ５の幅方向（図４では上下方向）に２分したその片側または両側に、テープの幅の２分の１幅の範囲内でテープの外側方向に向かって読みとるように、即ち、テープの幅方向の外側に特徴マークＭの上部を向けた形で複数連続的に印刷してある構成としたものである。この図４に示した特徴マークＭは、取扱者や購買者において「ハートマーク」として親しまれているマークである。
【００１３】
図５に示した接着テープ５は、図４に示したハートマークの使用者とは別の使用者のマークであって、「光」マークとして宣伝され、購買者に親しまれている特徴マークを印刷したテープを示したものである。同様に、図６に示した接着テープ５は、「げんまん」マークとして宣伝に供されているマークを、図７に示した接着テープ５は、「げんまん」という文字と「げんまん」のマークとからなる特徴マークを印刷したテープである。図８に示した接着テープ５は、「ぴあっこ」のマーク、図９に示した接着テープ５は、「蘭」のマーク、図１０に示した接着テープ５は、「高原の蘭」という特徴マーク、図１１はに示した接着テープ５は、「ＱＣたまご」として使用されているマークを印刷したテープを示したものである。
【００１４】
以上に本考案の代表的と思われる実施例について説明したが、本考案はこれらに示した特徴マークＭのみに限定されるものではなく、その他の特徴マークを示したものであってもよいことはいうまでもない。
【図面の簡単な説明】
【００１５】
【図１】本考案の封緘テープの使用状態を示した斜視図。
【図２】図１の左側面図。
【図３】図１の一部切欠平面図。
【図４】図１の封緘テープの拡大平面図。
【図５】他の実施例の封緘テープの拡大平面図。
【図６】他の実施例の封緘テープの拡大平面図。
【図７】他の実施例の封緘テープの拡大平面図。
【図８】他の実施例の封緘テープの拡大平面図。
【図９】他の実施例の封緘テープの拡大平面図。
【図１０】他の実施例の封緘テープの拡大平面図。
【図１１】他の実施例の封緘テープの拡大平面図。
【符号の説明】
【００１６】
１  容器本体
２  蓋体
３  ヒンジ部
４ａ  容器本体の接合縁
４ｂ  蓋体の接合縁
５  接着テープ
５ａ  つまみ部
【図１】
0003103596.tif 000003
【図２】
0003103596.tif 000004
【図３】
0003103596.tif 000005
【図４】
0003103596.tif 000006
【図５】
0003103596.tif 000007
【図６】
0003103596.tif 000008
【図７】
0003103596.tif 000009
【図８】
0003103596.tif 000010
【図９】
0003103596.tif 000011
【図１０】
0003103596.tif 000012
【図１１】
0003103596.tif 000013